(57)【要約】【課題】ゴルフコースにおいて広告スペースを提供すること。【解決手段】本考案のゴルフ用カート１は、車体１０の内部に座席２４を備え、該座席２４の下部に設けられ所定の駆動装置によって駆動されるタイヤ２６と、座席２４の上方に設けられて座席全体を覆う屋根部２８と、車体１０の前方部及び後方部の少なくともいずれか一方に立設された支柱２５とを備えている。車体１０の前面２１、背面２３及び屋根部上面２８には広告手段が施されており、あらゆる角度から広告を視認することができる。【選択図】図４
0003127230.tif 000002
【実用新案登録請求の範囲】
【請求項１】
内部に座席を備える車体と、前記座席の下部に設けられ所定の駆動機構によって駆動されるタイヤと、前記座席の上方に設けられて座席全体を覆う屋根部と、前記車体の前方部又は後方部の少なくともいずれか一方に立設され前記屋根部を支持する柱部と、を備えるゴルフ用カートにおいて
前記車体の前面、背面及び屋根部上面のうち少なくともいずれかひとつには広告手段が施されていることを特徴とするゴルフ用カート。
【請求項２】
前記広告手段は、その表面を撥水性の素材によってコーティングされていることを特徴とする請求項１に記載のゴルフ用カート。
【考案の詳細な説明】
【技術分野】
【０００１】
本考案は、ゴルフ用カートに関するものであって、特に車体に広告手段を設けることによってゴルフコースにおける広告スペースを確保したゴルフ用カートに関するものである。
【背景技術】
【０００２】
従来から、路線バスや鉄道などの輸送機器の車体に広告を貼付して、広告媒体とすることが慣用されている。とくに路線バスのように市街地の中を移動し、人目にさらされることが多い輸送機器は広告媒体として用いるのには好適である。
【０００３】
このように輸送機器を広告媒体とすることの利点としては、まず広告スペースの確保が容易であるということである。例えば、街中に大きな広告を貼ろうとすると、それに見合うサイズの看板など広告スペースを確保しなければならず、費用と手間がかかる。一方、輸送機器を広告媒体とすれば街中にスペースを確保する必要はなく、車両がありさえすれば済むので便利である。また、広告の作成も市街地で行う必要がないから費用も比較的安価で済み、貼り替えにも手間がかからない。さらに、街中で人前を移動していく広告は固定スペースの広告に比べてはるかに多くの人に見られ、かつ人の目を引きつけるから、その宣伝効果が高いなど固定スペースの広告とは異なる様々な利点を持ち合わせている。
【０００４】
このように、輸送機器に広告を付すことは「ラッピング」又は「マーキング」などと呼称され、有力な宣伝広告方法として現在までに広く普及している。また、これをもとに様々なビジネスモデルも提案されており、今日その重要性がますます高まってきている。
【０００５】
ところで、ゴルフコースというものは基本的に広告を貼る場所が少ない。ゴルフコースといえば広大な芝生の上に多数の樹木や砂場（バンカー）、池などが点在しているものが一般的であり、広告を貼付するのに適した壁や看板などはゴルフコースでは極めて少ない。
【０００６】
その理由のひとつとしては、ゴルフコースは見晴らしの良いことが好まれることによるものであるが、もしゴルフコースに看板などを立てればコースの見晴らしが悪くなり、ゴルファーにとって不便になる。さらに看板があることによってコース全体の美観を損なうということもあり、看板を用いた広告はゴルフコースにおいては不適である。したがって、ゴルフコースにおいては広告を提供するスペースが不足しているという潜在的な問題が存在している。
【０００７】
ここで、ゴルフコースにおける広告媒体を確保したものの例として下記特許文献１（特開２００４−２４７９４号公報）に「ゴルフコースガイド」の発明が開示されている。この発明は、ホールの等高線に沿って高い所から低い所へ徐々に色を濃く画成して勾配を表現し、そこに距離や狙い所、ホールの特徴、ティーグラウンドからの写真等を掲載した上で、余白を利用して広告掲載も可能な情報欄を設定したものである。
【０００８】
【特許文献１】特開２００４−２４７９４号公報
【考案の開示】
【考案が解決しようとする課題】
【０００９】
しかしながら、上記特許文献１に開示された発明においては、ガイドに広告を掲載できるのは余白部分に限られることから視覚に訴えるところが少なく、宣伝効果は小さい。またゴルフコース上ではゴルファーはプレイに集中するのが普通であるから、途中でガイドを参照することはあっても能動的に広告に目を配ることは考えにくい。
【００１０】
本願の考案者は上記の問題点を解消すべく種々検討を重ねた結果、ゴルフコース内を走行する数少ない移動手段としてのゴルフ用カートに着目し、その車体の前面、背面又は屋根部上面のうち少なくともいずれかひとつに広告手段を施すようになせば、上記問題点を解消し得ることに想到して本発明を完成するに至ったものである。
【００１１】
すなわち、本発明は、ゴルフコースにおいて的確に広告媒体を提供できるゴルフ用カートを提供することを目的とする。
【課題を解決するための手段】
【００１２】
前記課題を解決するために、本願請求項１に係るゴルフ用カートの考案は、内部に座席を備える車体と、前記座席の下部に設けられ所定の駆動装置によって駆動されるタイヤと、前記座席の上方に設けられて座席全体を覆う屋根部と、前記車体の前方部又は後方部の少なくともいずれか一方に立設され前記屋根部を支持する柱部と、を備えるゴルフ用カートにおいて、前記車体の前面、背面又は屋根部上面のうち少なくともいずれかひとつには広告手段が施されていることを特徴とする。
【００１３】
本願の請求項２にかかる考案は、請求項１に係るゴルフ用カートの考案において、前記広告手段はその表面を撥水性の素材によってコーティングされていることを特徴とする。
【考案の効果】
【００１４】
本考案は上記構成を備えることにより、以下に示すような優れた効果を奏するものである。すなわち、請求項１の考案によればゴルフ用カートの車体の前面、背面及び屋根部上面のうち少なくともいずれかひとつに広告手段を施したことにより、本来的に広告スペースの少ないゴルフコースにおいても、広告スペースを確保することができる。また、移動手段の少ないゴルフコースにおいては広告の施されたカートは目立つことから宣伝効果が高い広告媒体を得られる。
【００１５】
さらに、広告を施す箇所を上記のように設けることで、コース上のあらゆる位置から広告が見られるようになり、宣伝効果が十分に発揮される。またゴルフコースの中には起伏が激しいものもあるが、本考案によればカートの屋根部にも広告を施すことができ、あらゆる高さからでも広告を視認でき、宣伝効果が十分に発揮されるという効果をも奏するものである。加えて広告をゴルフカートに施すことで美的面からそのデザインにも資することができる。
【００１６】
また、請求項２の考案によれば広告手段の表面を撥水性の素材によってコーティングしたことにより、広告が雨や夜露などによって汚れたりすることを防止でき、広告手段の保守に役立てることができる。
【考案を実施するための最良の形態】
【００１７】
以下、図面を参照して本考案の最良の実施形態を説明する。但し、以下に示す実施形態は、本考案の技術思想を具体化するためのゴルフ用カートを例示するものであって、本考案をこのゴルフ用カートに特定することを意図するものではなく、実用新案登録請求の範囲に含まれるその他の実施形態のものも等しく適応し得るものである。
【実施例１】
【００１８】
図１は本考案の実施例１にかかるゴルフ用カートの前方斜視図を、図２は正面図を、図３は俯瞰図をそれぞれ示している。ゴルフ用カート１は、車体１０の内部に座席２４を備え、さらにその下部にタイヤ２６を備えている。
【００１９】
車体１０は、フロント２１、床部２２、車体背面２３を構成し、内部に人が複数人座れる程度の広さを備えている。そして車体１０の内部には、シート状の座席２４が前列と後列とで並んで設けられており、図２に示すように前列左側の座席が運転席となっていて、正面に操作ハンドル２９が設けられ、運転者がこれを操作することによってゴルフ用カート１を運転する。また運転席の足元には図示しないアクセル、ブレーキなどが備えられており、これらによってカートを制御する。
【００２０】
タイヤ２６は車軸に接続されており、当該車軸は図示しない所定のエンジン等の駆動機構から動力を伝達し、タイヤ２６を回転させる。
【００２１】
そして、車体１０の前方及び後方の隅には支柱２５が４箇所から設けられており、これらの支柱２５は車体１０から略垂直に立設され、その上部に配置されている屋根部２８を支持している。さらに前列の座席２４の背もたれ部からは屋根部２８を補助的に支えるための補助支柱２７が設けられている。なお、支柱２５と補助支柱２７を別の部材として説明しているが、同一素材／同一形状としても良い。
【００２２】
屋根部２８は厚みのある板状の部材によって構成され、その上面は若干丸みを帯びて形成されている。これは、上面に付した広告が上方からだけでなくより広範囲にわたって観察できるようにすることで、周囲のゴルファーが屋根にも広告が貼られていることに気付き、興味を持ってもらうためである。なお広告スペースを大きく確保する目的のほか、雨天時には座席２４への降り込みを低減するためにも屋根部２８の面積は大きいことが好ましい。
【００２３】
車体１０のフロント２１は図１に示されているように、フロント上面２１ａとフロント正面２１ｂとから構成されている。フロント上面２１ａは車体１０とほぼ水平面をなし、フロント正面２１ｂはフロント上面２１ａに対してほぼ垂直になっている。なお、図１にはその側面からの平面視で丸みを帯びているように構成されているが、角ばった形状であってもよい。そして背面２３は、車体１０の後方座席の背もたれ部の対面側に位置しており、平面状をなしている。
【００２４】
そして、上記のゴルフ用カートに広告を施す。広告手段は車体等の製造段階から車体と一体的に形成したり、塗装によって形成することも可能であるが、広告手段を別の部材から形成するのが好適である。例えば、広告にマグネットで形成されたシート部材などを用いれば、貼り替えも容易になり、季節や曜日によって広告を貼り替えたりすることが可能となって便利である。
【００２５】
また広告は撥水性の素材、例えばフッ素系の撥水剤を広告の表面にコーティングしたりしておくのが好ましい。このようになせば、広告が雨や夜露などによって汚れたりすることを防止でき、広告の保守に役立つからである。
【００２６】
また、例えば住友スリーエム株式会社製のスコッチプリント（登録商標）などのマーキングフィルムを用いてもよい。これは対候性に優れ仕上がりも良く、剥がすのにも手間をとらないため車両に広告手段を施すのに適しているからである。
【００２７】
以下、カートの広告スペースについて図４を用いて説明する。図４は、図１のゴルフ用カートの、広告を設けることができる範囲を斜線で示した模式図である。斜線部３１は車体１０のフロント上面、斜線部３２は車体１０のフロント正面、斜線部３３は車体１０のフロント側面、斜線部３５は屋根部上面に、それぞれ対応している。なお、ここでは図示されていないが車体１０の背面にもこれらに対応する斜線部３４が形成されている。なお図４では斜線部３１〜３５をそれぞれ区切って別々の広告スペースとしているが、これに限らずフィルム素材によってカート全体に広告を施し、広告が一体に形成されるようになしてもよい。
【００２８】
図４に示されているように、カートを斜め前方から観察した場合であれば、背面部（斜線部３４）及び反対側のフロント側面（斜線部３３）以外の広告は一望のもとに視認可能である。斜め前方からの観察では本来は視認できない屋根部上面（斜線部３５）の広告も、屋根が丸みを帯びた形状をしていることにより部分的ではあるが視認が可能となる。これにより周囲のゴルファーは屋根部にも広告が貼付されていることを知ることができ、少なからず興味を持つことが期待され宣伝効果の向上につながる。
【００２９】
図５は図４と同様に、図３のカートの広告スペースを斜線で示した模式図である。図５に示した方向からの観察であれば屋根部上面（斜線部３８）についてはその全体を視認でき、さらに車体１０のフロント上面（斜線部３１）の全体も視認できる。したがって、上方から観察されることを考慮して、斜線部３８と斜線部３１との広告の内容をあらかじめ関連付けたものとすることも有効である。
【実施例２】
【００３０】
さらに、別の実施形態として、車体１０の床部２２の側面に、足元側面部４１を設けた例を説明する。足元側面部４１は車体１０の側面で、座席２４に座った人の足元に設けられている。図５においては座席２４に人が座った場合に、膝の高さ程度になるものを例示している。
【００３１】
ゴルフ用カート１が足元側面部４１を備えることによって、乗員が物を足元に落としたときの落下防止として役立つとともに、車体側面の広告スペースを拡大することができる。車体の側面は基本的に横に長く、車体の他の部分に比べ幅広であるため、文字を横書きにした広告を施すこともできるので有効である。なお、車体１０の側面全体に扉やドアを設けることも可能であるが、通風と見晴らしが悪くなるとともにカートの重量が増えてしまうため、足元にのみ設けている。ただし、降車時に足元側面部につまづいて転倒することを防止するため、例えば横方向に開閉する扉状にしたり、足元側面部の一端と車体とを磁石などによって緩く固定して、容易に開くようにするのが好ましい。
【００３２】
本願発明によれば、本来的に広告スペースの少ないゴルフコースにおいても的確に広告スペースを確保できる。これにより、ゴルフコースの運営者と広告主との関係に限らず、様々な企業間のコミュニケーションを開拓でき、新たなビジネスモデルの提供に貢献し得る。
【図面の簡単な説明】
【００３３】
【図１】本考案の実施例１にかかるゴルフ用カートの前方斜視図である。
【図２】本考案の実施例１にかかるゴルフ用カートの正面図である。
【図３】本考案の実施例１にかかるゴルフ用カートの俯瞰図である。
【図４】図１のゴルフ用カートにおいて広告が視認できる範囲を斜線で示した模式図である。
【図５】図３のゴルフ用カートにおいて広告が視認できる範囲を斜線で示した模式図である。
【図６】実施例２にかかるゴルフ用カートを示す前方斜視図である。
【符号の説明】
【００３４】
１        ゴルフ用カート
１０      車体
２１      フロント
２１ａ    フロント上面
２１ｂ    フロント正面
２２      床部
２３      車体背面
２４      座席
２５      支柱
２６      タイヤ
２７      補助支柱
２８      屋根部
４１      足元側面部
【図１】
0003127230.tif 000003
【図２】
0003127230.tif 000004
【図３】
0003127230.tif 000005
【図４】
0003127230.tif 000006
【図５】
0003127230.tif 000007
【図６】
0003127230.tif 000008